(57)【特許請求の範囲】
【請求項１】
軸芯にフェルールが配設され、後端に基板部が形成されると共に、前端部にアダプタ内部のバネ性を有する係合片と係合する係合突起を有するプラグフレームと、後端にプラグ係合保持用係合片を突設し、前端に前記基板部と同一形状及び同一大きさの基板を設けた内部材と、該内部材の外側に嵌合され、後端にプラグ挿入孔が開設されている金属製の外部材とからなるハウジングを備え、前記プラグフレームの基板部とハウジングの基板とを突き合せた状態で、前記外部材の前端部開口縁をプラグフレームの基板部外側にカシメることでプラグフレームとハウジングとを連結固定し、前記プラグフレームの係合突起後方と基板部間に、アダプタ内の係合片に対する係合解除爪を四個先端に対向配設した保持リングを軸方向へ摺動自在に嵌合外装し、前記ハウジングの外部材の上下両面には全長に亘って抜去工具における二個一対のレバーの挿入用凹溝を当該レバーが突出しない深さにて形成し、該各凹溝先端と前記保持リングとの間に、前記各レバー先端の爪部挿入用隙間を設け、前記抜去工具を前方へ押し込み操作させることにより前記隙間に挿入されている各レバー先端の爪部によって前記保持リングが前方へ押圧移動し、アダプタに対するプラグフレームの係合が解除される一方、前記抜去工具を後方へ引張り操作させることによりアダプタに対するプラグフレームの引き抜きが行なわれるようにしたことを特徴とする光固定減衰器。
【発明の詳細な説明】
【０００１】
【発明の属する技術分野】
本発明は、一端をプラグ結合部に、他端はアダプタ結合部に各形成されている光固定減衰器に関する。
【０００２】
【従来の技術】
従来、上記光固定減衰器としては図１１及び図１２に示したように、軸芯にフェルールａを配設したプラグフレームｂに対して、中心の図示しないプラグ挿入孔内に、プラグ係合保持用係合片を突設したハウジングｃを軸方向へ摺動自在に嵌合外装し、前記プラグフレームｂの上下両面に設けたアダプタｄ内の係合片ｅと係合する突起ｆが、前記ハウジングｃの先端上下両面に開設された開口部ｇ内に配設され、さらに、前記ハウジングｃの開口部ｇの両側縁部に、前記アダプタｄの係合片ｅのプラグフレームｂの突起ｆに対する係合を解除する傾斜面ｈを具備した解除機構ｉが設けられ、図１２に示したように、ハウジングｃをプラグフレームｂに対して矢印ｊで示した先方へ摺動させることにより、アダプタｄの係合片ｅのプラグフレームｂの突起ｆに対する係合を解除する構成としたものが知られている。
尚、図１１、図１２において、ｋは受信装置のパネルを示す。
【０００３】
【発明が解決しようとする課題】
しかし乍ら、上記した従来の光固定減衰器は、ハウジングｃを指先で摘んで当該ハウジングｃを摺動させるアダプタｄに対する手操作脱着タイプであるので、パネルｋ面にアダプタｄを高密度に実装したときには、隣接するハウジングｃ、ｃ間の隙間が狭く、該ハウジングｃを指先で摘むことができないため、当該減衰器の脱着操作ができないという問題がある。
【０００４】
さらに、プラグフレームｂに対してハウジングｃ全体を摺動させる構成であるため、構造が複雑となり、コストが高く、かつ故障が生じ易いという問題がある。
【０００５】
【目的】
本発明は、上記従来の光固定減衰器の有するこのような問題点に鑑みてなされたもので、プラグフレームにハウジングを嵌合外装して連結固定し、プラグフレームに、四個の係合解除爪を先端に設けた保持リングを軸方向へ摺動自在に嵌合外装し、上記ハウジングの上下両面に形成した凹溝に抜去工具のレバーを挿入し、その先端の爪部をハウジングとプラグフレーム間の隙間に嵌合し、抜去工具を押し込み、上記爪部にて保持リングを摺動させ、該保持リング先端の係合解除爪により、アダプタ内係合片のプラグフレームの係合突起に対する係合を解除した後、抜去工具を引張ることで、アダプタから抜き取れるよう構成することにより、アダプタの高密度実装に適用でき、かつ故障のない堅牢な光固定減衰器を簡潔な構成で廉価に提供することを目的とする。
【０００６】
【課題を解決するための手段】
上記目的を達成するために、本発明に係る光固定減衰器は、軸芯にフェルールが配設され、後端に基板部が形成されると共に、前端部にアダプタ内部のバネ性を有する係合片と係合する係合突起を有するプラグフレームと、後端にプラグ係合保持用係合片を突設し、前端に前記基板部と同一形状及び同一大きさの基板を設けた内部材と、該内部材の外側に嵌合され、後端にプラグ挿入孔が開設されている金属製の外部材とからなるハウジングを備え、前記プラグフレームの基板部とハウジングの基板とを突き合せた状態で、前記外部材の前端部開口縁をプラグフレームの基板部外側にカシメることでプラグフレームとハウジングとを連結固定し、前記プラグフレームの係合突起後方と基板部間に、アダプタ内の係合片に対する係合解除爪を四個先端に対向配設した保持リングを軸方向へ摺動自在に嵌合外装し、前記ハウジングの外部材の上下両面には全長に亘って抜去工具における二個一対のレバーの挿入用凹溝を当該レバーが突出しない深さにて形成し、該各凹溝先端と前記保持リングとの間に、前記各レバー先端の爪部挿入用隙間を設け、前記抜去工具を前方へ押し込み操作させることにより前記隙間に挿入されている各レバー先端の爪部によって前記保持リングが前方へ押圧移動し、アダプタに対するプラグフレームの係合が解除される一方、前記抜去工具を後方へ引張り操作させることによりアダプタに対するプラグフレームの引き抜きが行なわれるようにしたことを特徴とする。
【０００７】
【作用】
プラグフレームを、その先端からアダプタ内に押し込むことにより、プラグフレームの係合突起が、アダプタ内の係合片の傾斜面に当接し、押し込み力によって上記係合片は、そのバネ力に抗して外側へ押し広げられ、さらに押し込むことで上記係合突起が係合片の係合突部を乗り越えると同時に係合片は弾性復帰し、係合突起と係合片とが係合し、アダプタに当該減衰器は結合される。以上は、従来のこの種の減衰器と同様である。
【０００８】
上記した結合保持状態において、抜去工具における二個一対のレバーを、ハウジングの上下両面に形成した凹溝に、その先端から挿入し、各レバー先端の爪部をハウジング後端と保持リングとの間の隙間に挿入する。次いで、抜去工具を押し込み操作することで、上記爪部により保持リングをアダプタ側へ押圧移動すると、保持リングの各角部から前方へ突設した四個の係合解除爪がアダプタ内において、プラグフレームの係合突起と係合しているアダプタ内の各係合片における係合突部の傾斜面に当接し、さらに抜去工具により保持リングが押圧移動されることで、各係合解除爪の先端の傾斜面によって各係合片が自体のバネ力に抗して外側へ押し広げられ、上記係合突起と係合片との係合が解除される。
【０００９】
次いで、抜去工具を前記とは反対に後方へ引張ると、上記爪部に掛止されているハウジングが後方へ引張られるので、これと一体に固定されているプラグフレームがアダプタから抜け出す。つまり、アダプタに対する当該光固定減衰器の抜き取りが行われる。
【００１０】
【発明の実施の形態】
以下、本発明に係る光固定減衰器の実施形態について図面を参照して説明する。
図１は光固定減衰器とアダプタとプラグを結合した状態の断面図を示し、図２はアダプタから光固定減衰器を抜き取る状態の断面図を示し、図３は光固定減衰器の平面図を示し、図４は光固定減衰器の縦断正面図を示し、図５は光固定減衰器のアダプタ結合側から見た側面図を示し、図６は光固定減衰器のプラグ結合側から見た側面図を示し、図７は光固定減衰器の縦断正面図とアダプタ及びプラグの各正面図を示し、図８は抜去工具の爪部を、光固定減衰器におけるハウジングと保持リング間の隙間に挿入した状態の一部断面した平面図を示し、図９は抜去工具により保持リングを前方へ摺動させ、光固定減衰器をアダプタから抜き取った状態の一部断面した平面図を示し、図１０は抜去工具の爪部をハウジングと保持リング間の隙間から外した状態の一部断面した平面図を示す。
【００１１】
図１ないし図４及び図７に示したように、光固定減衰器（Ａ）は、プラグフレーム１とハウジング５と、後述する係合解除爪１８付の保持リング１７を主要部材として構成されている。
図１及び図２並びに図４、図７に示したように、プラグフレーム１の軸芯には、先端側へホルダー２を、後端側へストッパー３を各々介在してフェルール４を配設させてある。
上記ストッパー３はプラグフレーム１の後端へ同軸的に固定させてあり、該ストッパー３内と、該ストッパー３の後端へ同軸的に嵌合固定されているハウジング５における内部材５ａの円筒部６内とにわたって割りスリーブ７を嵌合配設させてあり、該割りスリーブ７内の前半部には、上記したフェルール４の後端部が嵌合され、後半部にはプラグ８のフェルール８ａが嵌合される。
【００１２】
上記プラグフレーム１の略中間部から後端部１ａは図５に示したように横断面縦長四角形の角筒形状に形成され、、前端部１ｂ側は、左右方向の幅を上記後端部１ａのそれと同一に、上下方向の幅は上記後端部１ａのそれよりも小さい縦長四角形の外形にして、内部に円形孔を形成してある。上記前端部１ｂの基端近傍の上下両面には、アダプタ９内部の上下に並設されているバネ性を有する係合片９ａ、９ａと係合する係合突起１０、１０を突設させてある。
【００１３】
図１及び図２並びに図４、図７に示したように、ハウジング５は、上記した内部材５ａと外部材５ｂとで形成されている。
上記内部材５ａは横断面縦長四角形状とした厚肉の基板１１の中央部から後方（図１において左方向）へ上記した円筒部６を一体に突設させてあると共に、該円筒部６と所定間隔をおいて基板１１の上下両側からバネ性を有する二個一対の係合片１２、１２を後方へ突出した状態で並設させてある。
【００１４】
上記外部材５ｂは、横断面縦長四角形状にして、後端を厚肉部に、前端部は薄肉に金属材料にて一体に形成され、上記後端厚肉部の中央にプラグ８の挿入孔１３を開設させてあり、該挿入孔１３にプラグ８を押し込むことで、当該プラグ８の上下両面に突設した係合突部１４、１４が、上記係合片１２、１２の係合突部１２ａ、１２ａに突き当たり、該係合片１２、１２をバネ力に抗して外側へ押し広げながら押し込まれた後、係合片１２、１２が元位置に復帰し、図１に示した如く係合突部１４、１４と係合し、該プラグ８のフェルール８ａと、上記したプラグフレーム１のフェルール４とが同軸上で突き合わせられた状態でハウジング５とプラグ８は結合される。
【００１５】
さらに、上記したプラグフレーム１の後端には、上記ハウジング５における内部材５ａの基板１１と同一形状（縦長四角形）及び同一大きさの基板部１ｃが一体に形成され、上記基板１１と基板部１ｃとを突き合わせた状態で、上記外部材５ｂの前端部にて嵌合し、該前端部の開口縁１５を内向きにカシメることで、上記内、外両部材５ａ、５ｂ、つまり、ハウジング５とプラグフレーム１は連結固定され、一体化させてある。
【００１６】
また、上記ハウジング５の上下両面、つまり外部材５ｂの上下両面の中央部には、後述する抜去工具挿入用の凹溝１６、１６を当該工具のレバーが突出しない深さにして、かつ一定の横幅で後端から前端まで長く形成させてある。
【００１７】
図１ないし図４及び図７に示したように、既述プラグフレーム１の後端部１ａには金属製の保持リング１７を前後方向へ摺動自在に嵌合外装させてある。
上記保持リング１７は、横断面縦長四角形の短角筒形状とした本体１７ａの各角部から既述係合突起１０、１０とアダプタ９の係合片９ａ、９ａとの係合解除爪１８を合計四個、前方へ突出した状態で並設させてある。この各係合解除爪１８、１８の先端には、基部外周から先端内側へ傾斜下降する傾斜面１８ａを形成させてあり、該傾斜面１８ａが、当該保持リング１７の前方への摺動により、アダプタ９内係合片９ａ、９ａの先端に突出した係合突部９ｂ、９ｂの先端内面に設けられている傾斜面９ｃの内側に進入することによって図２に示したように係合片９ａ、９ａをバネ力に抗して外側へ押し広げ、上記係合突起１０、１０と係合突部９ｂ、９ｂの係合を解除するように形成される。
【００１８】
さらに、上記保持リング１７における本体１７ａの基端上下両面のほぼ中央部を欠除して、既述ハウジング５の凹溝１６、１６先端と、保持リング１７との間に後述する抜去工具爪部の挿入用隙間１９、１９を形成させてある。
【００１９】
光固定減衰器（Ａ）の抜去工具（Ｂ）は次のように構成されている。
図８ないし図１０に示したように、把持部２０に基端を固定した支持枠２１の先端近傍から左右へ対称に突設したブラケット２２、２２に、二個の一対の金属製レバー２３、２３を、その先端から所定寸法だけ後方部を回動自在にビス２４、２４によって枢着させてある。
一対のレバー２３、２３の後端部２３ａ、２３ａは把持部２０の左右両側部まで長く延出させてあり、把持部２０を握った手で両レバー２３、２３は開閉操作される。
【００２０】
上記一対のレバー２３、２３の先端部２３ｂ、２３ｂは薄い帯状板に形成されて、既述ハウジング５の凹溝１６、１６に挿入できるようにしてあり、該両レバー２３、２３の先端部２３ｂ、２３ｂの先端には、既述ハウジング５と保持リング１７間の隙間１９、１９に対し挿脱自在な爪部２３ｃ、２３ｃを内側へほぼ直角に屈曲した状態で形成させてある。
【００２１】
而して、上記構成とした抜去工具（Ｂ）によると、把持部２０を持ち、光固定減衰器（Ａ）におけるハウジング５の凹溝１６、１６にレバー２３、２３を、その先端から挿入し、先端の爪部２３Ｃ、２３ｃを、凹溝１６、１６先端と保持リング１７間の隙間１９、１９に挿入した後、当該抜去工具（Ｂ）を押し込み操作すると、上記爪部２３ｃ、２３ｃによって保持リング１７は先方（アダプタ側）へ摺動され、四個の係合解除爪１８、１８の先端が、アダプタ９内の係合片９ａ、９ａの係合突部９ｂ、９ｂにおける傾斜面９ｃ、９ｃに突き当たる。
【００２２】
上記係合解除爪１８、１８の先端には、上記係合突部９ｂ、９ｂの傾斜面９ｃ、９ｃと同一方向へ傾斜する傾斜面１８ａ、１８ａが形成されており、上記両傾斜面９ｃ、１８ａ、９ｃ、１８ａが各突き当たるので、係合解除爪１８、１８の押し込み力により上記係合片９ａ、９ａは図２に示したようにバネ力に抗して外側へ押し広げられることで、該係合片９ａ、９ａとプラグフレーム１の係合突起１０、１０との係合が解除されるから、次いで、抜去工具（Ｂ）を引張ると爪部２３ｃ、２３ａがハウジング５の開口縁１５におけるカシメ部分に係合して当該ハウジング５は引張られ、図９に示した如く、光固定減衰器（Ｂ）をアダプタ９から抜き取ることができる。
【００２３】
アダプタ９から光固定減衰器（Ｂ）を抜き取った後、レバー２３、２３の後端部２３ａ、２３ａを把持部２０側へ引きよせることで、爪部２３ｃ、２３ｃは図１０に示した如く隙間１９、１９から離脱し、光固定減衰器（Ｂ）の掴持を解除する。
【００２４】
【発明の効果】
本発明は、以上説明したように構成されているので、ハウジングに設けた凹溝に、抜去工具のレバーを挿入し、これを押し込み、または引張ることで、アダプタ内のプラグフレームの係合突起とアダプタの係合片との係合解除と、アダプタからの抜き取りを行うことができるので、パネル面等にアダプタを高密度に実装したときにも容易に脱着できると共に、プラグフレームとハウジングを連結固定してなるから、従来例のように、プラグフレームに対してハウジングをスライドさせる構成に比べて構造が簡単で、かつ故障発生要素がないため、堅牢で廉価に提供することができるものである。
【図面の簡単な説明】
【図１】本発明に係る光固定減衰器の実施形態を示す一端にアダプタを他端をプラグに各々係合した状態の縦断面図である。
【図２】同上減衰器の抜去工具を用いてアダプタから抜き取る状態を断面して示す説明図である。
【図３】同上減衰器を示す平面図である。
【図４】同上減衰器を示す縦断正面図である。
【図５】同上減衰器のアダプタ結合部側から見た側面図である。
【図６】同上減衰器のプラグ結合部側から見た側面図である。
【図７】同上減衰器の縦断正面図と、アダプタ及びプラグの各正面図である。
【図８】抜去工具にて同上減衰器を掴持した状態を一部断面して示す平面図である。
【図９】抜去工具にて同上減衰器をアダプタから抜き取った状態を一部断面して示す平面図である。
【図１０】抜去工具による同上減衰器の掴持解除状態を一部断面して示す平面図である。
【図１１】従来の光固定減衰器をアダプタに結合した状態を示す半断面図である。
【図１２】同上減衰器をアダプタから抜き取る状態を示す半断面図である。
【符号の説明】
Ａ      光固定減衰器
Ｂ      抜去工具
１      プラグフレーム
４      フェルール
５      ハウジング
８      プラグ
９      アダプタ
９ａ、１２  係合片
１０    係合突起
１３    プラグ挿入孔
１４    係合突部
１６    凹溝
１７    保持リング
１８    係合解除爪
１９    隙間
２３    レバー
２３ｃ  爪部
【図１】
0003819621.tif 000002
【図２】
0003819621.tif 000003
【図３】
0003819621.tif 000004
【図４】
0003819621.tif 000005
【図５】
0003819621.tif 000006
【図６】
0003819621.tif 000007
【図７】
0003819621.tif 000008
【図８】
0003819621.tif 000009
【図９】
0003819621.tif 000010
【図１０】
0003819621.tif 000011
【図１１】
0003819621.tif 000012
【図１２】
0003819621.tif 000013